【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
データユニットのサブフレームを生成するように構成された処理システムと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信するように構成された送信機と、ここにおいて、前記処理システムは、前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つを推定するための、前記データユニットのヘッダ中のソースを、前記他方の装置に示すように構成されている、
を備える装置。
【請求項２】
前記第１のフィールドは、前記サブフレーム中のＭａｃサービスデータユニット（ＭＳＤＵ）の長さを示す第２のフィールドの前で前記サブフレーム中に位置する、請求項１に記載の装置。
【請求項３】
前記第１のフィールドは、前記サブフレーム中に存在する場合、前記ＳＡまたはＤＡのうちの少なくとも１つの位置の前で前記サブフレーム中に位置する、請求項１に記載の装置。
【請求項４】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項１に記載の装置。
【請求項５】
前記ソースは、ＭＡＣプロトコルデータユニット（ＭＰＤＵ）ヘッダ、または前記サブフレームの前に受信された先行ＭＳＤＵのうちの少なくとも１つを備える、請求項１に記載の装置。
【請求項６】
前記処理システムは、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すように構成されている請求項５に記載の装置。
【請求項７】
前記第１のフィールドは、
前記サブフレーム中に前記ＳＡが存在することを示す１つまたは複数のビットを有するＳＡプレゼントフィールド、または、
前記サブフレーム中に前記ＤＡが存在することを示す１つまたは複数のビットを有するＤＡプレゼントフィールド、
のうちの少なくとも１つを備える、請求項１に記載の装置。
【請求項８】
前記ＳＡプレゼントフィールドは、前記ＳＡが前記サブフレームには無い場合、前記ＳＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項７に記載の装置。
【請求項９】
前記ＤＡプレゼントフィールドは、前記ＤＡが前記サブフレームには無い場合、前記ＤＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項７に記載の装置。
【請求項１０】
フレームアグリゲーションを用いて送られたデータユニットのサブフレームを、他方の装置から、受信するように構成された受信機と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定することと、
前記ＳＡまたはＤＡのうちの前記少なくとも１つが前記サブフレームには無いときで、かつ、前記ＳＡまたはＤＡのうちの前記少なくとも１つが前記装置に記憶されていないときに、前記データユニットのヘッダ中のソースから前記ＳＡまたはＤＡのうちの前記少なくとも１つを推定することと、
を行うように構成された処理システムと、
を備えるワイヤレス通信のための装置。
【請求項１１】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項１０に記載の装置。
【請求項１２】
前記ソースは、ＭＡＣプロトコルデータユニット（ＭＰＤＵ）ヘッダ、または前記サブフレームの前に受信された先行ＭＳＤＵのうちの少なくとも１つを備える、請求項１０に記載の装置。
【請求項１３】
前記処理システムは、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定するように構成されている、請求項１２に記載の装置。
【請求項１４】
前記処理システムは、
前記サブフレーム中にＳＡが存在することを示す１つまたは複数のビットを有する前記サブフレーム中のＳＡプレゼントフィールドに基づいて前記ＳＡ、または、
前記サブフレーム中にＤＡが存在することを示す１つまたは複数のビットを有する前記サブフレーム中のＤＡプレゼントフィールドに基づいて前記ＤＡ
のうちの少なくとも１つを決定する、請求項１０に記載の装置。
【請求項１５】
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項１４に記載の装置。
【請求項１６】
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項１４に記載の装置。
【請求項１７】
データユニットのサブフレームを生成するための手段と、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信するための手段と、ここにおいて、前記生成するための手段は、前記ＳＡまたはＤＡのうちの少なくとも１つが前記サブフレームには無い場合で、かつ、前記少なくとも１つのＳＡまたはＤＡが前記他方の装置に記憶されていない場合に、前記ＳＡまたはＤＡのうちの前記少なくとも１つを推定するための、前記データユニットのヘッダ中のソースを、前記他方の装置に示すように構成されている、
を備えるワイヤレス通信のための装置。
【請求項１８】
前記第１のフィールドは、前記サブフレーム中のＭａｃサービスデータユニット（ＭＳＤＵ）の長さを示す第２のフィールドの前で前記サブフレーム中に位置する、請求項１７に記載の装置。
【請求項１９】
前記第１のフィールドは、前記サブフレーム中に存在する場合、前記ＳＡまたはＤＡのうちの少なくとも１つの位置の前で前記サブフレーム中に位置する、請求項１７に記載の装置。
【請求項２０】
前記第１のフィールドのシングルビットは、 
前記サブフレーム中に前記ＳＡとＤＡの両方が存在すること、または
前記サブフレームには前記ＳＡとＤＡの両方が無いこと、
のいずれかを示す、請求項１７に記載の装置。
【請求項２１】
前記ソースは、ＭＡＣプロトコルデータユニット（ＭＰＤＵ）ヘッダ、または前記サブフレームの前に受信された先行ＭＳＤＵのうちの少なくとも１つを備える、請求項１７に記載の装置。
【請求項２２】
前記生成するための手段は、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すように構成されている、請求項２１に記載の装置。
【請求項２３】
前記第１のフィールドは、
前記サブフレーム中に前記ＳＡが存在することを示す１つまたは複数のビットを有するＳＡプレゼントフィールド、または
前記サブフレーム中に前記ＤＡが存在することを示す１つまたは複数のビットを有するＤＡプレゼントフィールド、
のうちの少なくとも１つを備える、請求項１７に記載の装置。
【請求項２４】
前記ＳＡプレゼントフィールドは、前記ＳＡが前記サブフレームには無い場合、前記ＳＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項２３に記載の装置。
【請求項２５】
前記ＤＡプレゼントフィールドは、前記ＤＡが前記サブフレームには無い場合、前記ＤＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項２３に記載の装置。
【請求項２６】
フレームアグリゲーションを用いて送られたデータユニットのサブフレームを、他方の装置から、受信するための手段と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定するための手段と、
前記ＳＡまたはＤＡのうちの前記少なくとも１つが前記サブフレームには無いときで、かつ、前記ＳＡまたはＤＡのうちの前記少なくとも１つが前記装置に記憶されていないときに、前記データユニットのヘッダ中のソースから前記ＳＡまたはＤＡのうちの前記少なくとも１つを推定するための手段と、
を備えたワイヤレス通信のための装置。
【請求項２７】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項２６に記載の装置。
【請求項２８】
前記ソースは、ＭＡＣプロトコルデータユニット（ＭＰＤＵ）ヘッダ、または前記サブフレームの前に受信された先行ＭＳＤＵのうちの少なくとも１つを備える、請求項２６に記載の装置。
【請求項２９】
前記推定するための手段は、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定するように構成されている、請求項２８に記載の装置。
【請求項３０】
前記推定するための手段は、
前記サブフレーム中にＳＡが存在することを示す１つまたは複数のビットを有する前記サブフレーム中のＳＡプレゼントフィールドに基づいて前記ＳＡ、または、
前記サブフレーム中にＤＡが存在することを示す１つまたは複数のビットを有する前記サブフレーム中のＤＡプレゼントフィールドに基づいて前記ＤＡ
のうちの少なくとも１つを推定する、請求項２６に記載の装置。
【請求項３１】
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項３０に記載の装置。
【請求項３２】
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項３０に記載の装置。
【請求項３３】
装置によるワイヤレス通信のための方法であって、
データユニットのサブフレームを生成することと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信することと、
前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つを推定するための、前記データユニットのヘッダ中のソースを、前記他方の装置に、示すことと、
を備える方法。
【請求項３４】
前記第１のフィールドは、前記サブフレーム中のＭａｃサービスデータユニット（ＭＳＤＵ）の長さを示す第２のフィールドの前で前記サブフレーム中に位置する、請求項３３に記載の方法。
【請求項３５】
前記第１のフィールドは、前記サブフレーム中に存在する場合、前記ＳＡまたはＤＡのうちの少なくとも１つの位置の前で前記サブフレーム中に位置する、請求項３３に記載の方法。
【請求項３６】
前記第１のフィールドのシングルビットは、
前記サブフレーム中に前記ＳＡとＤＡの両方が存在すること、または
前記サブフレームには前記ＳＡとＤＡの両方が無いこと
のいずれかを示す、請求項３３に記載の方法。
【請求項３７】
前記ソースは、ＭＡＣプロトコルデータユニット（ＭＰＤＵ）ヘッダ、または前記サブフレームの前に受信された先行ＭＳＤＵのうちの少なくとも１つを備える、請求項３３に記載の方法。
【請求項３８】
前記生成することは、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すことを備える、請求項３７に記載の方法。
【請求項３９】
前記第１のフィールドは、
前記サブフレーム中に前記ＳＡが存在することを示す１つまたは複数のビットを有するＳＡプレゼントフィールド、または、
前記サブフレーム中に前記ＤＡが存在することを示す１つまたは複数のビットを有するＤＡプレゼントフィールド、
のうちの少なくとも１つを備える、請求項３３に記載の方法。
【請求項４０】
前記ＳＡプレゼントフィールドは、前記ＳＡが前記サブフレームには無い場合、前記ＳＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項３９に記載の方法。
【請求項４１】
前記ＤＡプレゼントフィールドは、前記ＤＡが前記サブフレームには無い場合、前記ＤＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項４０に記載の方法。
【請求項４２】
ワイヤレス通信のための方法であって、
フレームアグリゲーションを用いて送られたデータユニットのサブフレームを、他方の装置から、受信することと、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定することと、
前記ＳＡまたはＤＡのうちの少なくとも１つが前記サブフレームには無いときで、かつ、前記ＳＡまたはＤＡのうちの少なくとも１つが前記装置に記憶されていないときに、前記データユニットのヘッダ中のソースから前記少なくとも１つのＳＡまたはＤＡを推定することと、
を備える方法。
【請求項４３】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項４２に記載の方法。
【請求項４４】
前記ソースは、ＭＡＣプロトコルデータユニット（ＭＰＤＵ）ヘッダ、または前記サブフレームの前に受信された先行ＭＳＤＵのうちの少なくとも１つを備える、請求項４２に記載の方法。
【請求項４５】
前記推定することは、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定することを備える、請求項４４に記載の方法。
【請求項４６】
前記推定することは、
前記サブフレーム中にＳＡが存在することを示す１つまたは複数のビットを有する前記サブフレーム中のＳＡプレゼントフィールドに基づいて前記ＳＡ、または、
前記サブフレーム中にＤＡが存在することを示す１つまたは複数のビットを有する前記サブフレーム中のＤＡプレゼントフィールドに基づいて前記ＤＡ
のうちの少なくとも１つを推定することを備える、請求項４２に記載の方法。
【請求項４７】
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項４６に記載の方法。
【請求項４８】
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項４６に記載の方法。
【請求項４９】
少なくとも１つのアンテナと、
データユニットのサブフレームを生成するように構成された処理システムと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の局へ前記サブフレームを前記少なくとも１つのアンテナを介して送信するように構成された送信機と、ここにおいて、前記処理システムは、前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つを推定するための、前記データユニットのヘッダ中のソースを、前記他方の装置に示すように構成されている、
を備えた局。
【請求項５０】
少なくとも１つのアンテナと、
フレームアグリゲーションを用いて送られたデータユニットのサブフレームを、他方の装置からおよび前記少なくとも１つのアンテナを介して受信するように構成された受信機と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定することと、
前記ＳＡまたはＤＡのうちの前記少なくとも１つが前記サブフレームには無いときで、かつ、前記ＳＡまたはＤＡのうちの前記少なくとも１つが前記装置に記憶されていないときに、前記データユニットのヘッダ中のソースから前記ＳＡまたはＤＡのうちの前記少なくとも１つを推定することと、
前記決定されたソースに基づいて前記ＳＡまたはＤＡのうちの前記少なくとも１つを推定することと、
を行うように構成された処理システムと、
を備えた局。
【請求項５１】
装置によるワイヤレス通信のための一時的でないコンピュータ可読媒体であって、
データユニットのサブフレームを生成し、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信し、
前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つを推定するための、前記データユニットのヘッダ中のソースを、前記他方の装置に、示す
ために命令を記憶した一時的でないコンピュータ可読媒体。
【請求項５２】
装置によるワイヤレス通信のための一時的でないコンピュータ可読媒体であって、
フレームアグリゲーションを用いて送られたデータユニットのサブフレームを、他方の装置から、受信し、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定し、
前記ＳＡまたはＤＡのうちの少なくとも１つが前記サブフレームには無いときで、かつ、前記ＳＡまたはＤＡのうちの少なくとも１つが前記装置に記憶されていないときに、前記データユニットのヘッダ中のソースから前記少なくとも１つのＳＡまたはＤＡを推定する
ために命令を記憶した一時的でないコンピュータ可読媒体。